(57)【要約】【課題】製造コストを削減し、全体の重量を軽量化すると共に、容量の異なる灯油缶にも対応して収納保持できる灯油缶収納ケースを提供する。【解決手段】少なくとも１個以上の灯油缶を収納する、上部に開口部を有するケース本体２と、該ケース本体２に着脱自在に装着され、前記灯油缶の側面を保持する保持部材１０とを備える。前記ケース本体２の側壁上辺５の中央部および前記保持部材１０の長辺１３に、前記ケース本体２と前記保持部材１０とを嵌着するための凹部３、１１を設けた。【選択図】図１
0003121756.tif 000002
【実用新案登録請求の範囲】
【請求項１】
少なくとも１個以上の灯油缶を収納する、上部に開口部を有するケース本体と、該ケース本体に着脱自在に装着され、前記灯油缶の側面を保持する保持部材とを備えることを特徴とする灯油缶収納ケース。
【請求項２】
前記ケース本体の側壁上辺の中央部および前記保持部材の長辺に、前記ケース本体と前記保持部材とを嵌着するための凹部を設けた請求項１記載の灯油缶収納ケース。
【請求項３】
前記ケース本体の凹部の近傍および前記保持部材の長辺に、灯油缶の容量を記載した請求項１または２記載の灯油缶収納ケース。
【請求項４】
前記保持部材の上下長辺に、夫々一対の凹部を該凹部間の幅を異にして設けた請求項３記載の灯油缶収納ケース。
【請求項５】
前記ケース本体に、防水性を有する袋体を被覆させた請求項１〜３のうちいずれか一項記載の灯油缶収納ケース。
【考案の詳細な説明】
【技術分野】
【０００１】
本考案は、灯油缶収納ケースに関し、詳しくは、灯油缶を車両等で運搬する際、ずれたり転倒したりするといった問題を解消することができる灯油缶収納ケースに関する。
【背景技術】
【０００２】
従来、種々のタイプの灯油缶収納ケースが提案されており、そのような中で、灯油を貯留した灯油缶を運搬機に確実に載置し、同灯油缶を安全に運搬することのできる灯油缶固定装置が提案されている（例えば、特許文献１参照）。特許文献１記載の灯油缶固定装置は、上部を開放し周囲に側壁を有した有底箱体の内側底面に、少なくとも１個以上の灯油缶を収納固定するための固定部と保持部を有し、前記固定部は、灯油缶の固定時において、同灯油缶と前記側壁との間に間隙を有するように配置されている。
【特許文献１】特開平０９―２０７９６１号公報（第１-２頁、図１）
【考案の開示】
【考案が解決しようとする課題】
【０００３】
しかしながら、特許文献１記載の灯油缶固定装置を含め、構造の複雑な灯油缶収納ケースは、使用する部材が多くなりコスト高や全体の重量が嵩むものであった。また、特許文献１記載の灯油缶固定装置は、固定部が限定されているため、灯油缶の容量や大きさによっては収納できないという問題があった。
【０００４】
そこで本考案の目的は、製造コストを削減し、全体の重量を軽量化すると共に、容量の異なる灯油缶にも対応して収納保持できる灯油缶収納ケースを提供することにある。
【課題を解決するための手段】
【０００５】
本考案者は、上記課題を解決すべく鋭意検討した結果、所定の保持部材を設けることにより、上記目的を達成し得ることを見出し、本考案を完成するに至った。
即ち、本考案の灯油缶収納ケースは、少なくとも１個以上の灯油缶を収納する、上部に開口部を有するケース本体と、該ケース本体に着脱自在に装着され、前記灯油缶の側面を保持する保持部材とを備えることを特徴とするものである。
【０００６】
本考案の灯油缶収納ケースは、前記ケース本体の側壁上辺の中央部および前記保持部材の長辺に、前記ケース本体と前記保持部材とを嵌着するための凹部を設けるものである。前記ケース本体の凹部の近傍および前記保持部材の長辺には、灯油缶の容量を記載してもよい。また、前記保持部材の上下長辺に、夫々一対の凹部を該凹部間の幅を異にして設けておいてもよい。さらに、前記ケース本体に、防水性を有する袋体を被覆させてもよい。
【考案の効果】
【０００７】
本考案の灯油缶収納ケースによれば、少なくとも１個以上の灯油缶を収納するケース本体と、ケース本体に着脱自在に装着される保持部材とを備えるため、製造コストを削減できると共に、全体の重量を軽量化することができる。また、前記ケース本体の側壁上辺の中央部および前記保持部材の長辺に、前記ケース本体と前記保持部材とを嵌着するための凹部を設けることで、ケース本体と保持部材との嵌着状態が良好となり、運搬中の灯油缶のズレや転倒を十分に抑止することができる。さらに、前記ケース本体の凹部の近傍および前記保持部材の長辺に、灯油缶の容量を、例えば、汎用の灯油収容量である１８リットルや２０リットルを記載することにより、収納ケースとしての使い勝手がよくなる。さらに、前記ケース本体に防水性を有する袋体を被覆させることにより、誤ってこぼれた場合でも灯油を袋体内に保持することができ、衛生的で安全性が保たれる。
【考案を実施するための最良の形態】
【０００８】
以下、本考案の灯油缶収納ケースにおける実施の形態を図面に基づいて説明する。
図１に示す本考案の一好適実施形態である灯油缶収納ケース１は、製造コストを削減し、全体の重量を軽量化すると共に、一サイズのみならず容量の異なる灯油缶にも対応して収納保持することができ、少なくとも１個以上の灯油缶を収納する、上部に開口部を有するケース本体２と、ケース本体２に着脱自在に装着される、灯油缶の一の側面を保持する保持部材１０とを備える。
【０００９】
ケース本体２は、厚手の段ボール、樹脂、木材等で形成することができ、収容量の異なる灯油缶、例えば、汎用の、灯油収容量１８リットルや２０リットルのいずれの灯油缶も収納することができるように、長手方向幅約４２ｃｍ、奥行き約３９ｃｍ程度の長尺箱形状に形成することができる。また、ケース本体２の高さは、灯油缶の出し入れが容易となる約２０ｃｍ程度に形成することができる。
【００１０】
なお、本考案の灯油缶収納ケース１は１８リットル、２０リットルの灯油缶の収納に限定されるものではなく、灯油缶の大きさや形状、また収納する灯油缶の数量に応じ、ケース本体２や保持部材１０の大きさ、また形成する凹部の数量等を適宜変更することが好ましい。
【００１１】
また、ケース本体２の側壁上辺の中央部には、保持部材１０の凹部１１、１２と嵌着される凹部３、４が設けられている。かかる凹部３は長尺状の側壁上辺５に、また凹部４は他の側壁上辺６に夫々設けられている。凹部３の下方には、１８リットルの灯油缶を収納する際、保持部材１０の嵌着方向を示す１８リットルの文字が記載され、また、凹部４の下方には、２０リットルの灯油缶を収納する際の保持部材１０の嵌着方向を示す２０リットルの文字が記載されている。
【００１２】
保持部材１０は、灯油缶の側面を保持する長状の平板形状を呈しており、ケース本体２と同様の素材、例えば、厚手の段ボール、樹脂、木材等で形成することが好ましい。また、保持部材１０の長辺１３には、ケース本体２の凹部３、４に嵌着される一対の凹部１１、１２が形成されている。
【００１３】
保持部材１０の長辺１３に設置されている凹部１１は、１８リットルの灯油缶を収納する際に使用し、また、保持部材１０の他の長辺１３に設置されている凹部１２は、２０リットルの灯油缶を収納する際に使用する。即ち、凹部１１はケース本体２の凹部３に、凹部１２はケース本体２の凹部４に夫々嵌着される。保持部材１０の長辺１３の中央には、保持部材１０を装着する際の目安となる１８リットルの文字が、また、保持部材１０の他の長辺１３の中央には２０リットルの文字が、嵌着時に起立した状態になるように記載されている。なお、凹部１１間の幅は、凹部１２間の幅より狭く設けられている。
【００１４】
本考案の灯油缶収納ケースの他の好適例としては、図２に示すように、ケース本体２を防水性を有する袋体２０にて被覆する。かかる袋体２０は、コスト面を考慮し、防水性および柔軟性に優れた素材である塩化ビニールやポリエチレンにて形成することが好ましい。袋体２０をケース本体２の底深くまで被覆して、保持部材１０を配設する。このようにすることにより、誤って灯油がこぼれた場合でも外部に流出することがなく、衛生的で安全性が保たれる。
【００１５】
本考案の灯油缶収納ケースの使用方法を図３の（ａ）（ｂ）および図４の（ａ）（ｂ）に基づいて説明する。
図３においては、１８リットル用の灯油缶を収納保持した使用状態を示す。先ず、（ａ）に示すように、保持部材１０の中央部に記載された１８リットルの文字が下部に配置することを確認し、保持部材１０の凹部１１を、ケース本体２に記載された１８リットルの文字上の凹部３に嵌着する。このようにすることで、保持部材１０にて仕切られた収納部７は、小形状の１８リットルの灯油缶が収容される大きさに区画される。
【００１６】
次に、（ｂ）に示すように、保持部材１０にて仕切られた収納部７に灯油缶Ａを収納する。このとき、灯油缶Ａは僅かな隙間を有して収納部７内に配設され、灯油缶Ａの一の側面は保持部材１０にて抑止される。そのため、灯油缶Ａはケース本体２内で大きくずれたり移動したりすることがなく、車両等で運搬する際も灯油缶が転倒するといった問題を解消できる。
【００１７】
図４においては、２０リットル用の灯油缶を収納保持した使用状態を示す。先ず、（ａ）に示すように、保持部材１０の中央部に記載された２０リットルの文字が下部に配置することを確認し、保持部材１０の凹部１２を、ケース本体２に記載された２０リットルの文字上の凹部４に嵌着する。このようにすることで、保持部材１０にて仕切られた収納部８は、長尺状の２０リットルの灯油缶が収容される大きさに区画される。
【００１８】
次に、（ｂ）に示すように、保持部材１０にて仕切られた収納部８に灯油缶Ｂを収納する。このとき、灯油缶Ｂは僅かな隙間を有して収納部８内に収納されて、灯油缶Ｂの一の側面は保持部材１０にて抑止される。このため、灯油缶Ｂはケース本体２内で大きくずれたり移動したりすることがない。
【００１９】
灯油缶Ａ、Ｂは、ケース本体２内に収納した後に保持部材１０にてケース本体２に嵌着させてもよい。
【図面の簡単な説明】
【００２０】
【図１】本考案の灯油缶収納ケースの全体斜視図である。
【図２】ケース本体に袋体を被覆させた状態を示す。
【図３】１８リットルの灯油缶を収納させる使用状態を示す。
【図４】２０リットルの灯油缶を収納させる使用状態を示す。
【符号の説明】
【００２１】
１  灯油缶収納ケース
２  ケース本体
３  凹部
４  凹部
５  側壁上辺
６  側壁上辺
７  収納部
８  収納部
１０  保持部材
１１  凹部
１２  凹部
１３  長辺
２０  袋体
Ａ  １８リットル灯油缶
Ｂ  ２０リットル灯油缶
【図１】
0003121756.tif 000003
【図２】
0003121756.tif 000004
【図３】
0003121756.tif 000005
【図４】
0003121756.tif 000006